(57)【特許請求の範囲】
【請求項１】
本体ケース内に、被記録媒体を積層状態で収容する用紙収容部と、該用紙収容部に収容された被記録媒体に対する印字機構部とを備え、前記用紙収容部を開閉可能にする蓋体を有するプリンタ装置であって、
前記用紙収容部に対して、前記被記録媒体を積層状態にて収納された用紙パッケージを着脱自在に装着できるように構成し、
前記蓋体には、前記用紙パッケージの表面に付された表示マーク部における前記収容された被記録媒体のサイズ等の情報を視認できる第１表示部を備えたことを特徴とするプリンタ装置。
【請求項２】
前記用紙パッケージの表示マーク部は、前記第１表示部に対面するように構成されていることを特徴とする請求項１に記載のプリンタ装置。
【請求項３】
前記本体ケースには、プリンタ装置の作動状態を示す第２表示部を備え、前記蓋体には、前記第２表示部が外から見える窓部を備えたことを特徴とする請求項１または請求項２に記載のプリンタ装置。
【請求項４】
前記第１表示部と第２表示部とは、本体ケースに装着した蓋体の同じ側面側から観察できるように設けられていることを特徴とする請求項３に記載のプリンタ装置。
【請求項５】
印字済みの被記録媒体の排紙口、前記第１表示部とを、本体ケースにおける前記蓋体の配置面と同じ側に設け、
前記排紙口から排出される被記録媒体の印字面が蓋体の表面と同じ方向に向くように前記印字機構部を形成したことを特徴とする請求項１乃至請求項４のいずれかに記載のプリンタ装置。
【請求項６】
印字済みの被記録媒体の排紙口を前記本体ケースの蓋体装着側の一側部に設け、
前記第２表示部は、前記排紙口から排紙される被記録媒体を蓋体側に重ねる場合に、前記第２表示部が露出するように、排紙口の用紙幅方向の外寄り部位に偏倚されていることを特徴とする請求項４に記載のプリンタ装置。
【請求項７】
前記印字機構部は、前記排紙口から排紙される被記録媒体の印字面が前記蓋体の表面と同じ方向に向くように構成されていることを特徴とする請求項６に記載のプリンタ装置。
【発明の詳細な説明】
【０００１】
【発明の属する技術分野】
本発明は、小型のプリンタ装置に係り、より詳しくは、プリンタ装置における情報を表示できる表示装置の構成に関するものである。
【０００２】
【従来の技術】
近年、モバイル化により、情報機器がノート型コンピュータ（パソコン）や携帯情報端末機器のように小型化されたものが普及している。これに伴い、プリンタ装置も携帯に便利な薄型・小型化されたものが要請されている。
【０００３】
従来の小型のプリンタ装置では、用紙（被記録媒体）を用紙カセットに積層した状態で、プリンタ装置の本体の一部に差し込み装着するので、当該用紙カセットの大部分がプリンタ装置の本体から突出した状態となっていた。そして、用紙カセットの一面に、当該用紙のサイズや種類を示すマークが付されている一方、プリンタ装置の本体の一面に設けたＬＥＤランプ等の表示部にて当該プリンタの作動状況を確認するようにしていた。
【０００４】
【発明が解決しようとする課題】
しかしながら、前記用紙カセットがプリンタ装置の本体に対して着脱が簡単にできるように構成していると、携帯時などに用紙カセットが脱落し易くなるので前記本体と用紙カセットとを分離して別々にしなければならず、用紙カセットにおける用紙もばらばらになり易く、保管が面倒であった。
【０００５】
また、ノート型パソコン等の他の物品にプリンタ装置を支持装置を介して吊支するなどして使用する場合に、従来のプリンタ装置では、用紙のサイズ等の情報を確認する箇所とプリンタ装置の作動状態を知るための表示部とが離れているために、確認がしにくいという問題があった。
【０００６】
本発明は前記問題を解決すべくなされたものであって、保管が容易で、且つ用紙のサイズ等の情報やプリンタの作動状況の確認が容易にできるようにした、プリンタ装置を提供することを目的とするものである。
【０００７】
【課題を解決するための手段】
前記目的を達成するため、請求項１に記載の発明のプリンタ装置は、本体ケース内に、被記録媒体を積層状態で収容する用紙収容部と、該用紙収容部に収容された被記録媒体に対する印字機構部とを備え、前記用紙収容部を開閉可能にする蓋体を有するプリンタ装置であって、前記用紙収容部に対して、前記被記録媒体を積層状態にて収納された用紙パッケージを着脱自在に装着できるように構成し、前記蓋体には、前記用紙パッケージの表面に付された表示マーク部における前記収容された被記録媒体のサイズ等の情報を視認できる第１表示部を備えたものである。
【０００８】
請求項２に記載の発明は、請求項１に記載のプリンタ装置において、前記用紙パッケージの表示マーク部は、前記第１表示部に対面するように構成されているものである。
【０００９】
請求項３に記載の発明は、請求項１または請求項２に記載のプリンタ装置において、前記本体ケースには、プリンタ装置の作動状態を示す第２表示部を備え、前記蓋体には、前記第２表示部が外から見える窓部を備えたものである。
【００１０】
さらに、請求項４に記載の発明は、請求項２に記載のプリンタ装置において、前記第１表示部と第２表示部とは、本体ケースに装着した蓋体の同じ側面側から観察できるように設けられているものである。
【００１１】
請求項５に記載の発明は、請求項１乃至請求項４のいずれかに記載のプリンタ装置において、印字済みの被記録媒体の排紙口、前記第１表示部とを、本体ケースにおける前記蓋体の配置面と同じ側に設け、前記排紙口から排出される被記録媒体の印字面が蓋体の表面と同じ方向に向くように前記印字機構部を形成したものである。
【００１２】
請求項６に記載の発明発明は、請求項４に記載のプリンタ装置において、印字済みの被記録媒体の排紙口を前記本体ケースの蓋体装着側の一側部に設け、前記第２表示部は、前記排紙口から排紙される被記録媒体を蓋体側に重ねる場合に、前記第２表示部が露出するように、排紙口の用紙幅方向の外寄り部位に偏倚されているものである。
【００１３】
さらに、請求項７に記載の発明は、請求項６に記載のプリンタ装置において、前記印字機構部は、前記排紙口から排紙される被記録媒体の印字面が前記蓋体の表面と同じ方向に向くように構成されているものである。
【００１４】
【発明の実施の形態】
次に、本発明を携帯用の小型プリンタ装置に具体化した実施の形態について図面を参照しながら説明する。まず、本発明に係るプリンタ装置１の概略構造について、図１〜図６を参照しながら説明する。プリンタ装置１は平面視Ａ６サイズ又はＡ７サイズ程度の大きさで厚みが略1cm 程度あるいはそれ以下の上面開放箱型の本体ケース２を有し、その上面の片側には固定カバー体３を有する。この固定カバー体３の箇所を除く本体ケース２内には感熱紙からなるカットシート状の被印字媒体としての用紙４を複数枚収納した用紙パッケージ５（図３参照）が収容できる用紙収容部６が形成されている。前記固定カバー体３の下面側の近傍には、後に詳述する印字機構部７としてのサーマルヘッド８、プラテンローラ９、ペーパーガイド１０及び用紙分離部としてのピックアップローラ１１及び分離ブロック１２等が配置されている。分離ブロック１２には、ピックアップローラ１１の用紙送り出し方向に対して傾斜した案内係止面１２１が形成されている。そして、前記用紙収容部６は、本体ケースの側にて回動及びスライド可能な開閉支持手段１４を介して開閉可能な蓋体１３にて覆われる。
【００１５】
蓋体１３の回動支点は、図５（ａ）のロック位置と、図５（ｂ）のロック解除位置との間で本体ケース２の上面に沿ってスライド可能に設けられている。蓋体１３は回動支点がロック解除位置にあるときに上下に回動可能である。
【００１６】
前記サーマルヘッド８はラインヘッド型であり、プラテンローラ９との間に挟まれて搬送される感熱型の用紙４の搬送方向に直交する方向に延びるライン毎に文字や画像等を印刷することができる。１ライン印刷する際の印刷幅は用紙４の直交方向の用紙幅に略等しく設定されている。サーマルヘッド８及びプラテンローラ９は、Ａ６サイズ又はＡ７サイズ程度の用紙４の短辺方向の長さを有している。サーマルヘッド８を印刷ヘッドとして用いるのは、被印字媒体として感熱紙を用いることにより、インクやインクリボンの消耗品が不要であり、且つそのための機構を省略でき、プリンタ装置１をコンパクトにできるからである。
【００１７】
感熱紙としては、サーマルヘッド８の加熱により発色する発色層を有する感熱発色タイプのものや、加熱により穿孔される穿孔層を基材層上に積層した感熱穿孔タイプのもの等、種々のものを使用できる。
【００１８】
前記用紙収容部６の底板６ａには、図４に示すように、前記用紙パッケージ５の外面に付された識別用マーク（図示せず）を検知するための光センサ部６ｂが設けられており、前記識別用マークの検知結果から用紙収容部６にセットされた用紙パッケージ５内の用紙４のサイズや用紙種類等を、プリンタ装置１内の制御装置（マイクロコンピュータ）のメモリに記憶させ、サーマルヘッド８の作動を制御する。
【００１９】
また、前記蓋体１３には、用紙４の排紙口２０から遠い側に用紙４の幅方向に長く形成される等した抜き孔に、蓋体１３の内面側から透明板（図示せず）を貼着してなる第１表示部４０を設ける（図１参照）。これにより、前記用紙収容部６にセットされた用紙パッケージ５の外面に印刷等された表示マーク部４１における用紙４のサイズや用紙種類（例えば、前記感熱紙のタイプ、用紙の色、材質等）などの文字や記号を前記第１表示部４０を通して観察できる。
【００２０】
また、本体ケース２の用紙収容部６内に用紙パッケージ５をセットして蓋体１３にて覆った状態のまま、携帯できるから、嵩張ることがない。該蓋体１３の外側から、透明板で覆われた第１表示部４０を介して対面する表示マーク部４１を見ることができるから、本体ケース２内に塵が侵入して故障の原因になる等の不都合を確実に回避できる。
【００２１】
さらに、蓋体１３の回動支点側に近い一側寄り部位に蓋体１３の板に切欠き形成した窓部４４を設ける一方、本体ケース２の表面個所に光を伝達する複数の透明窓部４３、４３と、該各透明窓部４３、４３の下面側（本体ケース２内）に対峙して配置された複数のＬＥＤランプ４２ａ，４２ｂとからなる第２表示部４２を設ける（図１、図２及び図５（ａ）参照）。該第２表示部４２では、前記各ＬＥＤランプ４２ａ，４２ｂの点灯、消灯、点滅の区別により、プリンタ装置１の電源のＯＮ・ＯＦＦ状態や印刷時と非印刷時との区別等の作動状態を知ることができる。
【００２２】
その場合、図１に示すように、後述する排紙口２０から排紙される用紙４が蓋体１３の表面に重なった状態となったとき、第２表示部４２の配置位置を、前記用紙４の幅方向の外側に偏倚した位置にすれば、排紙された用紙４で第２表示部４２が隠されることがなく、常時プリンタの作動状態を確認できる。
【００２３】
また、前記第１表示部４０と第２表示部４２とを蓋体１３の配置側などの同じ側面に配置されていると、ユーザーがプリンタ装置１の一方向から簡単に２つの表示を同時に観察できて、複数の表示部を探す手間が省ける。
【００２４】
前記用紙収容部６のうち、前記印字機構部７に近い側には、ピックアップローラ１１と分離ブロック１２とが配置されている（図５（ａ）及び図５（ｂ）参照）。前記用紙収容部６内に収容された用紙パッケージ５は、前記閉止した蓋体１３の本体内面側に設けた板バネ等の付勢手段１５を介して用紙収容部６の底板６ａに向けて付勢される。用紙パッケージ５における積層した用紙４のうち、用紙パッケージ５外に露出した用紙４（最下層の用紙）がピックアップローラ１１の上面に当接付勢される。このピックアップローラの回転駆動と分離ブロック１２の案内係止面１２１との協働により、前記最下層の用紙４のみが分離ブロック１２の下端とガイド板１７との隙間を通過する。該分離ブロック１２に隣接してプラテンローラ９が回転可能に設けられ、その外周面に押圧コイルバネ等の付勢手段１６によりペーパーガイド１０が付勢されている。ピックアップローラ１２と案内係止面１２１により、用紙パッケージ５から１枚だけ分離搬送された用紙４はプラテンローラ９とペーパーガイド１０との間に搬送される。ペーパーガイド１０は、その断面がプラテンローラ９の外周面に沿うように断面横向き略Ｕ字状等の凹湾曲状の摺接面１０ａに形成されている。
【００２５】
前記ペーパーガイド１０と、その上方に配置されて回動枢支部Ｐを中心にして回動可能に配置され、プラテンローラ９の上面の印字位置に接離可能なサーマルヘッド８の下面とにより、前記用紙収容部６から分離搬送された用紙４は横向きＵ字状に反転させて搬送され、プラテンローラ９の印字位置まで搬送される。サーマルヘッド８により用紙４の上面に印字され、前記分離ブロック１２の上面と前記固定カバー体３の端縁との隙間である排紙口２０から蓋体１３の外側に排紙される構成である（図５（ａ）参照）。前記サーマルヘッド８はその背面（上面側）にコイルスプリング（付勢手段）１９のばね掛け部が係止され、プラテンローラ９側に付勢され、サーマルヘッド８の印字部（発熱体部８ａ）がプラテンローラ９の上面に当接する。
【００２６】
前記プラテンローラ９及びピックアップローラ１１の駆動機構は、本体ケース２の長辺に沿う一方の内側面（実施形態では図２に示す用紙４の搬送方向の右側）に配置された駆動モータ２２と歯車伝動機構（ギヤ列）２３とからなる（図６（ｂ）参照）。プラテンローラ９の直径がピックアップローラ１１の直径より大きく、プラテンローラ９の箇所の用紙搬送速度をピックアップローラ１１箇所での用紙搬送速度より大きく設定してピックアップローラ１１と分離ブロック１２との箇所での用紙分離をゆっくり行いプラテンローラ９による用紙搬送、ひいては印字速度を高速化している。そのために、プラテンローラ９個所での高速搬送に対してピックアップローラ１１が連れ回り可能とするワンウエイクラッチ（図示せず）をギヤ列のプラテンローラ９より下流側に設けている。
【００２７】
次に、本体ケース２の上面開口面を覆うための蓋体１３が不用意に開かないようにするためのロック手段について説明する。このロック手段は、蓋体１３のロック動作（蓋体１３の前進移動）に連動してリリース連動機構により、プラテンローラ９の外周面にペーパーガイド１０を押圧すると共にサーマルヘッド８も押圧状態とするものである。このリリース連動機構は、プラテンローラ９の外周部分で用紙詰まりが発生した場合に、当該用紙４を簡単に除去するためのものである。
【００２８】
ロック手段の１部品としての合成樹脂製の左右両案内支持ブロック２４、２４は、左右対称形状であり、図２及び図７に示すように、用紙４の搬送方向に長手に形成されている。そして、この各案内支持ブロック２４の長手方向の中途部には上下に貫通し、且つ本体ケース２の中央方向に開放される縦案内溝２６が形成され、該縦案内溝２６と直交して水平方向に連通する抜き窓３１が形成されている。案内支持ブロック２４の抜き窓３１の上方壁部２４１は、前記蓋体１３を本体ケース２の開口面と平行状に閉止方向に移動するとき前記侵入部としてのロック片２５が上向きに抜け不能となる第１規制手段として機能する。
【００２９】
各案内支持ブロック２４の内側面のうち長手方向の中途部には、前記蓋体１３の自由端側の左右両側から下向きに突出する侵入部としてのロック片２５が上下方向に挿通できる内向き開放状の縦案内溝２６が形成されている。また、前記各案内支持ブロック２４の外面側には、上下方向の中途部に長手方向に沿う横案内溝が凹み形成されており、この横案内溝には作動部材２８が前後方向（案内支持ブロック２４の長手方向）に移動自在に嵌合している。
【００３０】
各作動部材２８の外側面には、その移動方向の一端寄り部位に、前記縦案内溝２６の間隔を隔てて前後一対の規制ブロック２９、３０が横向き突出されており、前記案内支持ブロック２４の一側面には、前記一対の規制ブロック２９、３０が横向きに臨み、且つ所定距離だけ前記前後方向に移動可能とする抜き窓３１が穿設されている。
【００３１】
前記案内支持ブロック２４の下端側に、基端部を連結された樹脂バネ体３２の上向き先端部３２ａが前記縦案内溝２６に対して上下方向に嵌合できるように構成されている。そして、蓋体１３が後退位置で上方に回動して案内支持ブロック２４の縦案内溝２６から抜け出した状態（これを蓋体１３の開き位置という、図８（ｃ）参照）では、前記作動部材２８における一対の規制ブロック２９、３０の間に前記縦案内溝２６が位置するので、樹脂バネ体３２の上向き先端部３２ａが前記一対の規制ブロック２９、３０の間に上向きに突出して、作動部材２８の前後方向の移動を規制できる。従って、この樹脂バネ体３２の上向き先端部３２ａが前記一対の規制ブロック２９、３０の間に嵌合することにより、前記蓋体１３の開き位置でリリース連動機構が不用意に前移動しないようにロック状態に保持できるロック手段となる。
【００３２】
他方、前記一方（後側）の規制ブロック３０の下面側には、後方に行くに従って上位置となる傾斜面が形成されている。従って、蓋体１３を下方に回動させてロック片２５が縦案内溝２６に侵入して上向き先端部３２ａによるロックが解除され、作動部材２８を前方に移動させた状態（前記規制ブロック３０が縦案内溝２６の個所まで移動した状態、蓋体１３の閉止位置という、図８（ａ）参照）では、前記傾斜面３０ａに前記上向き先端部３２ａが当接して、作動部材２８を前方移動位置に保持し、この構成により、後述するリリース連動機構を不用意に後退させないようにロック位置に保持するロック手段となる。
【００３３】
リリース連動機構は、前記作動部材２８の前端側にピン３４及び縦長孔を介して回動可能に連結され、前記プラテンローラ９の回動軸９ａに対して回動可能に被嵌する連動リンク体３３と、該連動リンク体３３に一体的に形成された第１カム体３６と第２カム体３７とからなる。連動リンク体３３の回動に応じて、第１カム体３６が前記ペーパーガイド１０の適宜前面に接離するとき同時に第２カム体３７が前記サーマルヘッド８の適宜下面に接離するように構成されている。
【００３４】
この構成により、図５（ｂ）に示すように、蓋体１３を開き、本体ケース２の用紙収容部６内に、開封した用紙パッケージ５を用紙４面を下向きにしてセットした後、蓋体１３を下向き回動すると、当該蓋体１３の下面の板バネ製の付勢手段１５（図５（ａ）参照）により用紙パッケージ５を下向きに押圧するので、積層した用紙４の最下層面のうち先端側がピックアップローラ１１の上に押圧される。
【００３５】
そして、蓋体１３を不用意に開かないようにするための動作（蓋体１３を下向き回動させて本体ケース２の開口面と平行状に図５（ａ）の状態まで前進移動）に連動して下記のようにプラテンローラ９の外周面にペーパーガイド１０を押圧すると共にサーマルヘッド８も押圧状態とするものである。
【００３６】
図示しないパソコン等からＵＳＢ端子や赤外線端子を介して印字指令及び画像データ（印刷データ）をプリンタ装置１に送ると、駆動モータ２２が回転駆動し、ピックアップローラ１１とプラテンローラ９は同時に回転し始める。ピックアップローラ１１の回転により、前記積層された用紙４のうち最下層の用紙４の先端４ａが、分離ブロック１２に衝突して最下層の用紙４のみが分離されて、分離ブロック１２の下面とガイド板１７と間に搬送される。次いで、プラテンローラ９とペーパーガイド１０との間に挟持された用紙４は、回転するプラテンローラ９とペーパーガイド１０にて挟持搬送されてサーマルヘッド８方向に移動し、用紙４の表面に印字された後、固定カバー体３と前記分離ブロック１２の背面との隙間である排紙口２０からプリンタ装置１外に排紙できるのである。その場合、用紙４における印字面は蓋体１３の表面（外面）と反対側になる。換言すれば、ユーザが蓋体１３の表面を見るとき、前記印字面が同じ方向に向いているので、同時に用紙４における印字面を観察できる状態となる。
【００３７】
紙ジャムが発生した場合には、まず、本体ケース２の上面と平行状の蓋体１３を固定カバー体３から離れる方向に水平移動（後退）させ、蓋体１３の回動支点をロック解除位置に移動させる。蓋体１３を後退させると、当該蓋体１３の左右両側のロック片２５、２５が各作動部材２８の前後一対の規制ブロック２９、３０の間に嵌まっているので、作動部材２８を付勢手段１６、１９の付勢力に抗して強制的に後退させる。
【００３８】
作動部材２８の後退位置では、縦案内溝２６の下方退避領域に退避した樹脂バネ体３２の上向き先端部３２ａが、弾性力により前記一対の規制ブロック２９、３０の間に下方から係合し、作動部材２８の後退位置を保持することができる。また、蓋体１３を上方に回動させて用紙パッケージ５を交換することもできる。
【００３９】
この作動部材２８の後退移動に伴って、連動リンク体３３はプラテンローラ９の軸９ａ回りにて図５（ｂ）において反時計回り回動する。この連動リンク体３３に設けられた第１カム体３６は付勢手段１６の付勢力に抗してペーパーガイド１０の前面を押してプラテンローラ９の外周面から離す。それと同時に第２カム体３７が付勢手段１９の付勢力に抗してサーマルヘッド８の下面を上向きに押し上げ、サーマルヘッド８の発熱体部８ａがプラテンローラ９の外周面から離れるのである。これにより、プラテンローラ９の外周に巻き付いている用紙４は軽い力でプラテン装置１の外に引き出すことができるのである。そして、ワンタッチでサーマルヘッド８とペーパーガイド１０とをプラテンローラ９に対して接離可能であるので、操作性に優れたものとなる。
【００４０】
なお、補助ロック手段として、蓋体１３の自由端縁に用紙４の搬送方向と直交する幅方向の略中央部等に１乃至複数の係合爪３８を前記搬送方向に延びるように設ける一方、前記分離ブロック１２には、蓋体１３本体ケース２の上面と平行状にして分離ブロック１２方向に前進させたとき係止する係止溝３９を設けておけば（図５（ｂ）及び図６（ａ）参照）、蓋体１３が薄肉（剛性が小さいもの）であって、当該蓋体１３の広幅面の下面に板バネ状等の押圧手段１５があってその反力で撓み易いものであっても、前記補助ロック手段が押圧手段１５による押圧作用部の近傍に位置するから、当該蓋体１３の自由端側をしっかりと本体ケース２に閉止固定できるという効果を奏する。
【００４１】
次に、本発明に係るプリンタ装置の支持装置の構成について説明する。図９〜図１２に示す支持装置の実施形態では、略矩形板状の枠体５１と、該枠体５１に対して折り畳みできるように回動可能に枢着された左右一対の支持手段５２とからなる。
【００４２】
各支持手段５２は、枠体５１に対する連結基端部５３と、該連結基端部５３の上端部側から枠体５１に対して離れる方向に延出する第１支持部５４と、該第１支持部５４から前記連結基端部５３の下端側に前記枠体５１の表面に略沿うように延出する第２支持部５５と、該第２支持部５５から前記枠体５１に対して離れる方向に延出する第３支持部５６とにより構成されているものであり、これらの構成部品は合成樹脂材にて一体的に形成されている。第３支持部５６の先端部には上向きに延びる係止部５７をさらに備えることが望ましい。
【００４３】
そして、前記左右両側の支持手段５２、５２の各連結基端部５３は、枠体５１の広幅面に穿設された略矩形の取付け孔５８、５８に挿入されており、各連結基端部５３の上下端から上下方向に突出するピン５９、５９が、前記取付け孔５８、５８の端面に凹み形成された枢支孔に嵌まって回動中心となる。なお、前記左右両側の支持手段５２、５２を枠体５１の前面から略９０度に開いた状態を保持でき、その両連結基端部５３、５３が前記取付け孔５８、５８における前記ピン５９、５９から遠い側の側端面（連結基端部５３の縦長方向に沿う端面）に当接して開き角度を規制できるようにすることが好ましい。
【００４４】
前記連結基端部５３の上端からの第１支持部５４の延出長さＨ１はプリンタ装置１の厚さ寸法Ｈ２より若干大きく設定されている。また、第１支持部５４から下向きに延びる第２支持部５５は、その下端側と前記連結基端部５３の下端部より部位との間隔寸法Ｈ３が前記延出長さＨ１より若干大きくなるように設定されている。さらに、第２支持部５５の下部と前記係止部５７との間隔（第３支持部５６の長さ）も、プリンタ装置１の厚さ寸法Ｈ２より若干大きく設定されている。
【００４５】
そして、前記左右一対の支持手段５２における第３支持部５６の下面と枠体５１の下面とが略同一平面上にあるように形成することにより（図９（ｂ）参照）、図１０に示すごとく、前記両第３支持部５６上に前記プリンタ装置１の下面を支持させ、且つ前記第２支持部５５に前記プリンタ装置１の背面をもたれかけて立設できるように構成するものである。
【００４６】
さらに、前記第１支持部５４が下方になるように枠体５１を上下に反転させたとき、前記第１支持部５４が立て掛け状態のプリンタ装置１の厚さ部分の下面を支持できるようにすると共に、少なくとも第３支持部５６を介して（好ましくは係止部５７共に）、他の物品に吊支できるように構成したものである。図１１及び図１２に示す形態では、ノート型パソコン６０における液晶パネル６２が内面に備えられたカバー体６１を立設するように開いた状態で、枠体５１等をカバー体６１の裏面側に配置し、且つ当該カバー体６１の上方縁に対して、前記左右一対の支持手段５２における第３支持部５６、５６と下向き係止部５７、５７にて係止する。そして、前記枠体５１の前面の連結基端部５３と第２支持部５５との間にプリンタ装置１を立て状態にて差し込むと、左右一対の第１支持部５４、５４にてプリンタ装置１を支持することができる。従って、前記第２支持部５５、５５は、前記枠体５１の前面との間でプリンタ装置１の収容間隙を画定できる機能を有する。
【００４７】
また、枠体５１の左右両側端部（前記左右一対の支持手段５２における連結基端部５３の取付け個所より外側）には、前記支持手段５２を立て起こす側に延出するリブ状の脱落防止部５１ａ、５１ａを一体的に設ける。この左右両側の脱落防止部５１ａ、５１ａの内面間の寸法Ｌ３を、プリンタ装置１の幅方向（用紙４の幅方向に沿う方向）の寸法Ｌ２より若干大きく設定することにより、前記第１支持部５４、５４にて支持されたプリンタ装置１が横方向にずれたり左右に傾いたりしても、脱落防止部５１ａ、５１ａに支えられて脱落しないのである。
【００４８】
なお、図９（ａ）に示すように、左側の支持手段５２における回動中心（ピン５９）から第１支持部５４に連設する個所までの突出する連結基端部５３の突出寸法Ｈ４と、右側の支持手段５２における回動中心（ピン５９）から第１支持部５４に連設する個所までの突出する連結基端部５３の突出寸法Ｈ５とを大小異ならせて形成する。図示実施形態では、Ｈ５＞Ｈ４＋第１支持部５４等の厚さ寸法Ｈ６とする。
【００４９】
このように構成すれば、前記左右一対の支持手段５２、５２を枠体５１の広幅面（前面）と平行状に折り畳むとき、突出寸法の小さい方の支持手段５２を先に回動して枠体５１の前面に略平行状とした後、突出寸法の大きい方の支持手段５２を回動すれば、両支持手段５２、５２（第１支持部５４〜第３支持部５６の部分）か互いに平行状に折り畳むことができ、プリンタ装置１と別々に分離して、コンパクトな状態で支持装置を携帯できるという顕著な効果を奏する。
【００５０】
プリンタ装置１の同じ側面であって、本体ケース２の長辺の一側に偏倚した位置に前記第１表示部４０と第２表示部４２とを近接させて配置しておけば、図１１及び図１２に示すように、ノート型パソコン６０のカバー体６１の裏面側等、他の物品の背面側に支持装置における枠体５１が配置されるようにして吊支した場合において、枠体５１の前面側に立て状態にてプリンタ装置１を装着するに際して、図１１に示すように、前記第１表示部４０と第２表示部４２とをプリンタ装置１の上部寄り部位にしてプリンタ装置を載置すれば、これらの表示部４０、４２が、前記他の物品の上端縁より上方位置となり、プリンタ装置１の作動状態を容易に観察することができる。この場合、用紙４の排紙口２０を前記第１表示部４０及び第２表示部４２の配置位置から離れた反対部位（下方位置）に設けておけば、印字済みの用紙４が上方に向かって突出するように排紙される。そのとき、前記左右一対の第２支持部５５、５５の背面に沿って案内されて用紙４が上昇できるようにすれば、第２支持部５５が用紙ガイドの機能を兼用できて好ましい。
【００５１】
逆に、図１２に示すように、前記排紙口２０をノート型パソコン６０のカバー体６１の上端縁より上方位置に来るようにプリンタ装置１を配置し、プリンタ装置１における印字機構部による用紙４への印字面が、排紙口２０から排紙されるときに蓋体１３の表面が向く方向と同じ方向に向くように構成しておけば、印字済みの用紙４が排紙口２０から排紙されると、当該用紙４における印字面がカバー体６１の内面と同じ側に向くので、印字の確認が容易にできる。
【００５２】
【発明の効果】
以上に詳述したように、請求項１に記載の発明のプリンタ装置は、本体ケース内に、被記録媒体を積層状態で収容する用紙収容部と、該用紙収容部に収容された被記録媒体に対する印字機構部とを備え、前記用紙収容部を開閉可能にする蓋体を有するプリンタ装置であって、前記用紙収容部に対して、前記被記録媒体を積層状態にて収納された用紙パッケージを着脱自在に装着できるように構成し、前記蓋体には、前記用紙パッケージの表面に付された表示マーク部における前記収容された被記録媒体のサイズ等の情報を視認できる第１表示部を備えたものである。
【００５３】
従って、本体ケースの用紙収容部内に被記録媒体を積層状態のままセットして蓋体にて覆った状態のまま、保管できるから、嵩張ることがない。
また、前記用紙収容部にセットされた用紙パッケージの外面に付された表示マーク部における被記録媒体のサイズや種類などの文字や記号を前記第１表示部を通して観察できる。また、複数枚の被記録媒体を積層した状態で用紙パッケージごと用紙収容部に対して出し入れできるので、被記録媒体の取り扱いが至極容易になるという効果も奏する。
【００５４】
請求項２に記載の発明は、請求項１に記載のプリンタ装置において、前記用紙パッケージの表示マーク部は、前記第１表示部に対面するように構成されているものである。
【００５５】
【００５６】
請求項３に記載の発明は、請求項１または請求項２に記載のプリンタ装置において、前記本体ケースには、プリンタ装置の作動状態を示す第２表示部を備え、前記蓋体には、前記第２表示部が外から見える窓部を備えたものであるから、被記録媒体を蓋体で覆い、プリンタ装置を作動させても、第２表示部を介してその作動状態が観察できる。
【００５７】
さらに、請求項４に記載の発明は、請求項３に記載のプリンタ装置において、前記第１表示部と第２表示部とは、本体ケースに装着した蓋体の同じ側面側から観察できるように設けられているものであるから、被記録媒体の種類などの情報と、プリンタ装置の作動状態とをユーザーの視線を変えず同時に確認できるという効果を奏する。
【００５８】
請求項５に記載の発明は、請求項１乃至請求項４のいずれかに記載のプリンタ装置において、印字済みの被記録媒体の排紙口、前記第１表示部とを、本体ケースにおける前記蓋体の配置面と同じ側に設け、前記排紙口から排出される被記録媒体の印字面が蓋体の表面と同じ方向に向くように前記印字機構部を形成したものであるから、ユーザーは、被記録媒体の情報と印字面とを同時に確認できるという効果を奏する。
【００５９】
請求項６に記載の発明は、請求項４に記載のプリンタ装置において、印字済みの被記録媒体の排紙口を前記本体ケースの蓋体装着側の一側部に設け、前記第２表示部は、前記排紙口から排紙される被記録媒体を蓋体側に重ねる場合に、前記第２表示部が露出するように、排紙口の用紙幅方向の外寄り部位に偏倚されているものであるから、排紙口から排紙される被記録媒体が長くなって蓋体側の表面が覆われても、その幅方向の外側に第２表示部があるので、排紙された被記録媒体に邪魔されずにプリンタ装置の作動を確認することができるという効果を奏する。
【００６０】
さらに、請求項７に記載の発明は、請求項６に記載のプリンタ装置において、前記印字機構部は、前記排紙口から排紙される被記録媒体の印字面が前記蓋体の表面と同じ方向に向くように構成されているものであるから、排紙された被記録媒体における印字部の確認、観察と同時に表示部の観察もできるという効果を奏する。
【図面の簡単な説明】
【図１】  本願のプリンタ装置の外観を示す斜視図である。
【図２】  本体ケースの概略平面図である。
【図３】  用紙パッケージの斜視図である。
【図４】  本体ケースにおけるピックアップローラ部の斜視図である。
【図５】  （ａ）はプリンタ装置の側断面図、（ｂ）は蓋体を開いた状態の本体ケースの左側部位の断面図である。
【図６】  （ａ）は印字機構部の拡大側面図、（ｂ）は歯車伝動機構の側面図である。
【図７】  ロック手段及びリリース連動機構の部品の分解斜視図である。
【図８】  （ａ）は蓋体の閉止状態でプラテンロックにペーパーガイド及びサーマルヘッドが押圧している状態の断面図、（ｂ）は蓋体の後退位置でペーパーガイド及びサーマルヘッドのリリース状態を示す断面図、（ｃ）は蓋体の回動可能状態を示す断面図である。
【図９】  プリンタ装置の支持装置の実施形態を示し、（ａ）は平断面図、（ｂ）は側断面図である。
【図１０】  プリンタ装置の支持装置をテーブル等に立設して使用する状態を示す斜視図である。
【図１１】  プリンタ装置の支持装置をノート型パソコンのカバー体上に吊支して使用する状態を示す斜視図である。
【図１２】  別の吊支状態の要部斜視図である。
【符号の説明】
１      プリンタ装置
２      本体ケース
４      被印字媒体としての用紙
５      用紙パッケージ
８      サーマルヘッド
９      プラテンローラ
１３      蓋体
２０      排紙口
４０      第１表示部
４１      表示マーク部
４２      第２表示部
４２ａ，４２ｂ  ＬＥＤランプ
４４      窓部
５１      枠体
５１ａ    脱落防止部
５２      支持手段
５３      連結基端部
５４      第１支持部
５５      第２支持部
５６      第３支持部
５７      係止部
６０      携帯用パソコン
６１      カバー体
【図１】
0003714241.tif 000002
【図２】
0003714241.tif 000003
【図３】
0003714241.tif 000004
【図４】
0003714241.tif 000005
【図５】
0003714241.tif 000006
【図６】
0003714241.tif 000007
【図７】
0003714241.tif 000008
【図８】
0003714241.tif 000009
【図９】
0003714241.tif 000010
【図１０】
0003714241.tif 000011
【図１１】
0003714241.tif 000012
【図１２】
0003714241.tif 000013